(57)【要約】【課題】敷布団の下に配設するシート、足の下に敷設する足マットおよびつま先を挿入するつま先被覆部を有する足マットからなる保温用敷設具であって、特に、身体やつま先から発せられる体温を効率よく反射させることで、冬季等の低温期の保温効果を効率よく高め、さらに優れたクッション性や製造コストの削減を実現した保温用敷設具を提供する。【解決手段】身体から発せられる体温を反射させることができる保温用敷設具において、下層から順次、断熱層、吸音層、熱反射アルミ層、保温層を積層して形成した保温用敷設具である。【選択図】図１
0003136000.tif 000002
【実用新案登録請求の範囲】
【請求項１】
身体から発せられる体温を反射させることができる保温用敷設具において、下層から順次、断熱層、吸音層、熱反射アルミ層、保温層を積層して形成したことを特徴とする保温用敷設具。
【請求項２】
前記各層を部分的に溶着する超音波キルト加工部を形成した請求項１記載の保温用敷設具。
【請求項３】
前記断熱層の下に下面不織布層、前記保温層の上に上面不織布層を形成し、敷布団の下に配設する保温シートである請求項１または２記載の保温用敷設具。
【請求項４】
前記熱反射アルミ層と前記保温層の間に気泡性緩衝材層、前記保温層の上にカバー層を形成し、足を載置する足マットである請求項１または２記載の保温用敷設具。
【請求項５】
つま先被覆部を有する請求項４記載の保温用敷設具。
【請求項６】
前記熱反射アルミ層に孔を備えた請求項１〜５のうちいずれか一項記載の保温用敷設具。
【考案の詳細な説明】
【技術分野】
【０００１】
本考案は、敷布団の下に配設する保温シート、足の下に敷設する足マットおよびつま先を挿入するつま先被覆部を有する足マット等からなる保温用敷設具であって、特に、身体やつま先から発せられる体温を効率よく反射させることで、冬季等の低温期の保温効果を効率よく高めることができる保温用敷設具に関する。
【背景技術】
【０００２】
就寝時、敷布団の下には敷設具として寝具用のシートが配設される。通常のシートは敷布団と同形もしくはやや大きめに形成されており、折り畳み可能な薄板矩形状を呈している。一般的な寝具用のシートは、夏季に体温から発汗される水分を吸湿し、カビの発生を軽減する除湿用シートや、冬季に冷気から身体を護る保温用シートがある。
【０００３】
また特に、体温により炭類の充填層から発生する多量の遠赤外線により身体の保温効果を得ることにより、血行が良くなり、不眠症、冷え性、腰痛、肩凝り等の改善を図ることを目的とする保温シートがある（例えば特許文献１参照）。上記特許文献１の保温シートは、クッション性を有する断熱層上にアルミ箔シートよりなる遠赤外線反射シートを敷設し、更にその上に炭類微粉末の充填袋を列配してなる炭類の充填層を敷設している。
【０００４】
また、足を載置する足マットに関し、足受け主体を、反発弾性と永久歪が小さい多孔性の衝撃吸収用ウレタン系樹脂よりなるものとして、その表面は一方の裾端に踵受面部を続かせた山形突面に形成することで、長時間足を載せていても、足が痺れたり、痛くなることのない足枕がある（特許文献２参照）。
【０００５】
さらに、つま先被覆部を有する足マットに関しては、足の血行を良くし、足の臭いを取り、足をリラックスさせて、足の疲れを癒し、エチケットとしてのマットとして、マットの上面にカバーを設け、足の出入口を設け、足を入れられ、カバーにポケットと空気穴を設け、マットには、脱臭剤を入れ、足マッサージ用の凸部を設けた足置きポケット式カバー付きマットがある（特許文献３参照）。
【特許文献１】特開２００４−２６７６５９号公報
【特許文献２】特開平１０−４３００４号公報
【特許文献３】特開２００３−９３４７２号公報
【考案の開示】
【考案が解決しようとする課題】
【０００６】
しかしながら、特許文献１に記載されている保温シートは、断熱層上にアルミ箔シートよりなる遠赤外線反射シートを敷設し、更にその上に炭類微粉末の充填袋を列配してなる炭類の充填層を敷設する構造のために、シート全体が嵩高になると共に、製造工程や全体の重量も多くなり、さらにコスト高に繋がるという問題があった。
【０００７】
また、特許文献２に記載されている足枕は、長時間足を載せていても、足が痺れたり痛くなることを解消するが、低温期における足先の高い保温性は得られなかった。さらに、特許文献３に記載されている足置きポケット式カバー付きマットは、全体構造が複雑になる一方で、高いクッション性や保温効果が得られなかった。
【０００８】
そこで本考案の目的は、上記問題点を解消し、敷布団の下に配設する保温シート、足の下に敷設する足マットおよびつま先を挿入するつま先被覆部を有する足マットからなる保温用敷設具であって、特に、身体やつま先から発せられる体温を効率よく反射させることで、冬季等の低温期の保温効果を効率よく高め、さらに優れたクッション性や製造コストの削減を実現した保温用敷設具を提供することにある。
【課題を解決するための手段】
【０００９】
本考案は、上記課題を解決するために、身体から発せられる体温を反射させることができる保温用敷設具において、下層から順次、断熱層、吸音層、熱反射アルミ層、保温層を積層して形成したことを特徴とするものである。また、各層を部分的に溶着する超音波キルト加工部が形成されていてもよい。
【００１０】
また、本考案の保温用敷設具は、前記断熱層の下に下面不織布層、前記保温層の上に上面不織布層を形成し、敷布団の下に配設する保温シートとすることができる。
【００１１】
さらに、本考案の保温用敷設具は、前記熱反射アルミ層と前記保温層の間に気泡性緩衝材層、前記保温層の上にカバー層を形成し、足を載置する足マットとすることもできる。さらにまた、この場合、かかる足マットは、つま先被覆部を有することが好ましい。
【考案の効果】
【００１２】
本考案の保温用敷設具によれば、下層から順次、下断熱層、吸音層、熱反射アルミ層、保温層を積層して形成したことで、身体やつま先から発せられる体温を効率よく反射させることができる。これにより、冬季等の低温期の保温効果を効率よく高め、さらに優れたクッション性や製造コストの削減を実現することが可能になる。また、各層を部分的に溶着する超音波キルト加工部を形成したことで、各層のズレや歪みを抑止することが可能になる。
【００１３】
また、本考案の保温用敷設具である保温シートによれば、下層から順次、下面不織布層、断熱層、吸音層、熱反射アルミ層、保温層、上面不織布層を積層して形成したことで、就寝の際、身体から発せられる体温を効率よく反射させることが可能になる。
【００１４】
さらに、本考案の保温用敷設具である足マットによれば、下層から順次、断熱層、吸音層、熱反射アルミ層、気泡性緩衝材層、保温層、カバーを積層して形成することで、足から発せられる体温を効率よく反射させると共に、優れたクッション性も得られる。さらにまた、つま先被覆部を設けることで、つま先、甲、足底を覆い包むことができ、足から発せられる熱により足全体の保温性をより一層高めることができる。
【考案を実施するための最良の形態】
【００１５】
以下、本考案における保温用敷設具の実施の形態を図面に基づいて説明する。なお、図１乃至図３においては、本考案の保温用敷設具である保温シートを、図４乃至図６は足マットを、図６乃至図９はつま先被覆部を有する足マットをそれぞれ表す。
【００１６】
図１乃至図３に示す保温シート１０は、敷布団２の下に配設されるもので、就寝の際、身体から発せられる体熱を反射させ、低温期に優れた保温性を実現するものである。また、保温シート１０は、図２に示すように、下層から順次、下面不織布層１１、断熱層１２、吸音層１３、熱反射アルミ層１４、保温層１５、上面不織布層１６を積層して形成されている。
【００１７】
下面不織布層１１は、繊維を熱、機械、化学的な作用により接着、または絡み合わせ、薄い布状に形成したものである。下面不織布層１１に使用される繊維として、アラミド繊維、セルロース繊維、ナイロン繊維、ビニロン繊維、ポリエステル繊維、ポリオレフィン繊維、レーヨン繊維等が使用される。
【００１８】
下面不織布層１１の上面に積層される断熱層１２は、例えば、ポリエステル綿の素材からなる。断熱層１２は、断熱性を高めると共に、就寝の際、高いクッション性を発揮させるようにやや肉厚状に形成されている。
【００１９】
断熱層１２の上面に積層される吸音層１３は、例えば、ポリエチレンの素材からなる。断熱層１２の上面に吸音層１３を積層することで、床面から伝わってくる振動音を軽減することができ、快適な睡眠が得られる。
【００２０】
吸音層１３の上面に積層される熱反射アルミ層１４は、敷布団の下に保温シート１０を敷設した際、身体から発せられる体温を効率よく反射させる作用を有する。熱反射アルミ層１４には、放射を受けて熱を反射する素材、例えば、アルミライナー（アルミニウムをシート化したもの）を好適に使用することができる。なお、吸音層１３および熱反射アルミ層１４は、熱溶着または接着剤等により一体化されている。
【００２１】
また、かかる熱反射アルミ層１４には孔を設けることができる。これにより、通気性がよくなり、足のムレなどを防止でき、より快適になる。孔の大きさは通気性があれば特に限定されないが、保温効果も考慮して０．１〜５．０ｍｍが好ましい。
【００２２】
熱反射アルミ層１４の上面に積層される保温層１５は、例えば、ポリエステル綿の素材からなる。保温層１５は、身体に直接温感を与える層であることから、使用開始直後でも温感を良好にするとともに、熱反射アルミ層１４からの反射熱をより効果的に身体に伝えるようにするためにも、その厚さは１〜３ｍｍ程度とすることが好ましい。
【００２３】
保温層１５の上面に積層される上面不織布層１６は、繊維を熱、機械、化学的な作用により接着、または絡み合わせることにより、薄い布状に形成したものである。上面不織布層１６に使用される繊維として、アラミド繊維、セルロース繊維、ナイロン繊維、ビニロン繊維、ポリエステル繊維、ポリオレフィン繊維、レーヨン繊維等が使用される。
【００２４】
また、下面不織布層１１と上面不織布層１６との周囲は、断熱層１２、吸音層１３、熱反射アルミ層１４、保温層１５を収容させた状態で、ヘム加工により縫着されている。
【００２５】
さらに、保温シート１０には、各層を部分的に溶着する超音波キルト加工部１７が形成されている。超音波キルト加工部１７を形成する超音波キルト加工は、超音波のエネルギーによる摩擦熱で、複数層の素材を溶着させる加工技術であり、保温シート１０の長手方向等間隔に複数形成されている。超音波キルト加工部１７を形成することにより、挟持した各層のズレや歪みの発生を防ぐことができる。また、超音波キルト加工部１７は、キルティング針を使用しないために貫通孔がなく、中材が外部に吹き出したり、ダニが内部に侵入したりする虞がない。
【００２６】
図４乃至図６に示す足マット２０は、肉厚状でクッション性を有する矩形状のマット本体２７からなり、着座や横臥した際に足の踵や足首部分を載置することができる。また、足マット２０は、図５に示すように、下層から順次、断熱層２１、吸音層２２、熱反射アルミ層２３、気泡性緩衝材層２４、保温層２５、カバー２６を積層して形成される。
【００２７】
断熱層２１は、床面や雰囲気温度との断熱を行うためのものである。断熱層２１には発泡樹脂、例えば、発泡ポリウレタン、発泡ポリオレフィン、発泡ポリ塩化ビニル（ＰＶＣ）等の素材を使用することが好ましい。また、断熱層２１は、足を載置した際、高いクッション性を発揮させるようにやや肉厚状に形成されている。
【００２８】
断熱層２１の上面に積層される吸音層２２は、例えば、ポリエチレンの素材からなる。断熱層２１の上面に吸音層２２を積層することで、床面から伝わる振動音を軽減することができる。
【００２９】
吸音層２２の上面に積層される熱反射アルミ層２３は、足マット２０の上に足を載置した際、足から発せられる体温を効率よく反射させる作用を有する。熱反射アルミ層２３には、放射を受けて熱を反射する素材、例えば、アルミライナー（アルミニウムをシート化したもの）を好適に使用することができる。なお、吸音層２２および熱反射アルミ層２３は、熱溶着または接着剤等により一体化されている。また、かかる熱反射アルミ層２３には、前記と同様に孔を設けることができる。
【００３０】
熱反射アルミ層２３の上面に積層される気泡性緩衝材層２４は、足からの体温の放射と熱反射アルミ層２３からの反射熱が伝達されることにより、気泡性緩衝材層２４内の密封された空気室の温度が上昇して、良好に保温効果が得られると共にクッション性をも得ることができる。
【００３１】
気泡性緩衝材層２４は、球状または立方状の空気室が密封した状態で多数配設された構造を有する。ポリプロピレン（ＰＰ）、ポリエチレンテレフタレート（ＰＥＴ）、ポリエチレン（ＰＥ）等の素材のものを好適に使用することができる。気泡性緩衝材層２４自体は、例えば、宇部フィルム（株）製のエアーキャップ（登録商標）として一般に広く知られており、特に制限されるべきものではないが、同社製のヘルスロール（登録商標）を特に好適に使用することができる。
【００３２】
気泡性緩衝材層２４の上面に積層される保温層２５は、例えば、ポリエチレンの素材からなる。保温層２５は、足に直接温感を与える層であることから、使用開始直後でも温感を良好にするとともに、熱反射アルミ層２３からの反射熱をより効果的に足に伝えるようにするためにも、その厚さは１〜３ｍｍ程度とすることが好ましい。
【００３３】
カバー２６は、繊維を熱、機械、化学的な作用により接着、または絡み合わせることにより、薄い布状に形成した不織布を用いることが望ましい。最上層にカバー２６を積層することで、汚れた際にカバー２６のみを洗濯することができ、足マット２０を衛生的に、且つ清潔に保つことができる。
【００３４】
図７乃至図９に示すつま先被覆部を有する足マット３０は、椅子に着座した状態でつま先、足底、甲を被覆する構造を呈し、つま先から発せられる体熱を反射させることで、低温期につま先部分を保温する特徴を有する。
【００３５】
つま先被覆部を有する足マット３０は、足を載置する肉厚状のマット本体３７と、つま先と足の甲を覆うつま先被覆部３８と、つま先被覆部３８に形成された開口部３９とで構成されている。また、開口部３９の周囲には、フィット感と肌触り、さらには外部からの冷気の侵入を防ぐための起毛部４０が設置されている。
【００３６】
また、つま先被覆部を有する足マット３０は、図８に示すように、下層から順次、断熱層３１、吸音層３２、熱反射アルミ層３３、気泡性緩衝材層３４、保温層３５、カバー３６を積層して形成される。
【００３７】
断熱層３１は、床面や雰囲気温度との断熱を行うためのものである。断熱層３１には発泡樹脂、例えば、発泡ポリウレタン、発泡ポリオレフィン、発泡ポリ塩化ビニル（ＰＶＣ）等の素材を使用することが好ましい。また、断熱層３１は、足を載置した際、高いクッション性を発揮させるようにやや肉厚状に形成されている。
【００３８】
断熱層３１の上面に積層される吸音層３２は、例えばポリエチレンの素材からなる。断熱層３１の上面に吸音層３２を積層することで、床面から伝わってくる振動音を軽減することができる。
【００３９】
吸音層３２の上面に積層される熱反射アルミ層３３は、つま先被覆部を有する足マット３０のつま先被覆部３８内に足を挿入した際、足から発せられる体温を効率よく反射させる作用を有する。熱反射アルミ層３３には、放射を受けて熱を反射する素材、例えば、アルミライナー（アルミニウムをシート化したもの）を好適に使用することができる。なお、吸音層３２および熱反射アルミ層３３は、熱溶着または接着剤等により一体化されている。また、かかる熱反射アルミ層３３には、前記と同様に孔を設けることができる。
【００４０】
熱反射アルミ層３３の上面に積層される気泡性緩衝材層３４は、足から体温の放射と熱反射アルミ層３３からの反射熱が伝達されることにより、気泡性緩衝材層３４内の密封された空気室の温度が上昇して、良好に保温効果が得られると共にクッション性をも得ることができる。
【００４１】
気泡性緩衝材層３４は、球状または立方状の空気室が密封した状態で多数配設された構造を有する。ポリプロピレン（ＰＰ）、ポリエチレンテレフタレート（ＰＥＴ）、ポリエチレン（ＰＥ）等の素材のものを好適に使用することができる。気泡性緩衝材層３４自体は、例えば、宇部フィルム（株）製のエアーキャップ（登録商標）として一般に広く知られており、特に制限されるべきものではないが、同社製のヘルスロール（登録商標）を特に好適に使用することができる。
【００４２】
気泡性緩衝材層３４の上面に積層される保温層３５は、例えば、ポリエチレンの素材からなる。保温層３５は、足に直接温感を与える層であることから、使用開始直後でも温感を良好にするとともに、熱反射アルミ層３３からの反射熱をより効果的に足に伝えるようにするためにも、その厚さは１〜３ｍｍ程度とすることが好ましい。
【００４３】
カバー３６は、繊維を熱、機械、化学的な作用により接着、または絡み合わせることにより、薄い布状に形成した不織布を用いることが望ましい。最上層にカバー３６を積層することで、汚れた際にカバー３６とつま先被覆部３８を洗濯することができ、つま先被覆部を有する足マット３０を衛生的に、且つ清潔に保つことができる。
【図面の簡単な説明】
【００４４】
【図１】一部を切欠した保温シートの全体図である。
【図２】前記保温シートの層構成を明確にする拡大断面図である。
【図３】前記保温シートの使用状態を示す。
【図４】一部を切欠した足マットの全体図である。
【図５】前記足マットの層構成を明確にする拡大断面図である。
【図６】前記足マットの使用状態を示す。
【図７】一部を切欠したつま先被覆部を有する足マットの全体図である。
【図８】前記つま先被覆部を有する足マットの層構成を明確にする拡大断面図である。
【図９】前記つま先被覆部を有する足マットの使用状態を示す。
【符号の説明】
【００４５】
１    保温用敷設具
２    敷布団
１０  保温シート
１１  下面不織布層
１２  断熱層
１３  吸音層
１４  熱反射アルミ層
１５  保温層
１６  上面不織布層
１７  超音波キルト加工部
２０  足マット
２１  断熱層
２２  吸音層
２３  熱反射アルミ層
２４  気泡性緩衝材層
２５  保温層
２６  カバー
２７  マット本体
３０  つま先被覆部を有する足マット
３１  断熱層
３２  吸音層
３３  熱反射アルミ層
３４  気泡性緩衝材層
３５  保温層
３６  カバー
３７  マット本体
３８  つま先被覆部
３９  開口部
４０  起毛部
【図１】
0003136000.tif 000003
【図２】
0003136000.tif 000004
【図３】
0003136000.tif 000005
【図４】
0003136000.tif 000006
【図５】
0003136000.tif 000007
【図６】
0003136000.tif 000008
【図７】
0003136000.tif 000009
【図８】
0003136000.tif 000010
【図９】
0003136000.tif 000011